(57)【要約】【課題】移動通信システムで複合再伝送（ＨＡＲＱ）方式を用いてデータを再伝送する装置を開示する。【解決手段】無線ネットワーク制御器（ＲＮＣ）はデータの再伝送のための最大待機時間を決定する。基地局は前記最大待機時間を受信し、前記データを使用者端末機へ伝送した後、使用者端末機から前記データの再伝送要求を感知すると、前記データを再伝送するとともに、最大待機時間を設定し、その後、最大待機時間を超過した場合、使用者端末機から再伝送されたデータの異常受信によるデータの二次再伝送要求を感知すると、データの再伝送を禁止する。使用者端末機は最大待機時間を受信し、基地局から受信したデータにエラーが存在する場合、基地局へ前記データに対する再伝送要求を伝送するとともに、最大待機時間を設定し、再伝送要求による前記データの受信を最大待機時間の間のみ待機する。【選択図】　　図４
2004007654.tif 000002
【特許請求の範囲】
【請求項１】
無線ネットワーク制御器（ＲＮＣ：ｒａｄｉｏ　ｎｅｔｗｏｒｋ　ｃｏｎｔｒｏｌｌｅｒ）と接続された基地局（Ｎｏｄｅ　Ｂ）から使用者端末機（ＵＥ：ｕｓｅｒ　ｅｑｕｉｐｍｅｎｔ）へ伝送したデータを前記使用者端末機が受信失敗する場合、前記基地局から前記データを複合再伝送方式（ＨＡＲＱ：ｈｙｂｒｉｄ　ａｕｔｏｍａｔｉｃ　ｒｅｔｒａｎｓｍｉｓｓｉｏｎ　ｒｅｑｕｅｓｔ）を用いて再伝送する装置において、
データの伝送時点又は前記データの再伝送時点を決定するスケジューラと、
前記伝送時点で前記使用者端末機へデータを伝送するように制御し、前記使用者端末機から前記データの再伝送要求を感知すると、前記データを再伝送するように制御するとともに、前記無線ネットワーク制御器から受信した最大待機時間を設定するように制御し、その後、前記最大待機時間を超過した場合、前記再伝送されたデータの受信失敗による二次再伝送要求を感知すると、前記データの再伝送を禁止するように制御する複合再伝送制御器とを含むことを特徴とする前記データ再伝送装置。
【請求項２】
前記最大待機時間は前記データの種類に応じて決定されることを特徴とする請求項１に記載の前記データ再伝送装置。
【請求項３】
前記最大待機時間は前記データの優先順位に応じて決定されることを特徴とする請求項１に記載の前記データ再伝送装置。
【請求項４】
前記複合再伝送制御器は前記最大待機時間内で前記二次再伝送要求を感知すると、前記データを再伝送するように制御することを特徴とする請求項１に記載の前記データ再伝送装置。
【請求項５】
前記最大待機時間は前記使用者端末機に予め設定されているデータ再伝送のための最大待機時間と同じ値を有することを特徴とする請求項１に記載の前記データ再伝送装置。
【請求項６】
前記複合再伝送制御器は前記最大待機時間に至ると、前記データを廃棄するように制御することを特徴とする請求項１に記載の前記データ再伝送装置。
【請求項７】
移動通信システムで複合再伝送方式を用いてデータを再伝送する装置において、
前記データの再伝送のための最大待機時間を決定して基地局へ伝送する無線ネットワーク制御器と、
前記最大待機時間を受信し、前記データを使用者端末機へ伝送した後、前記使用者端末機から前記データの再伝送要求を感知すると、前記データを再伝送するとともに、前記最大待機時間を設定し、その後、前記最大待機時間を超過した場合、前記使用者端末機から前記再伝送されたデータの異常受信による前記データの二次再伝送要求を感知すると、前記データの再伝送を禁止する基地局とを含むことを特徴とする前記データ再伝送装置。
【請求項８】
前記無線ネットワーク制御器は前記データの種類に応じて前記最大待機時間を決定することを特徴とする請求項７に記載の前記データ再伝送装置。
【請求項９】
前記無線ネットワーク制御器は前記データの優先順位に応じて前記最大待機時間を決定することを特徴とする請求項７に記載の前記データ再伝送装置。
【請求項１０】
前記基地局は前記最大待機時間内で前記再伝送要求を感知すると、前記データを再伝送することを特徴とする請求項７に記載の前記データ再伝送装置。
【請求項１１】
前記無線ネットワーク制御器は無線リンクセットアップ要求メッセージを用いて前記最大待機時間を前記基地局へ伝送することを特徴とする請求項７に記載の前記データ再伝送装置。
【請求項１２】
前記無線ネットワーク制御器は無線リンク再構成要求メッセージを用いて前記最大待機時間を前記基地局へ伝送することを特徴とする請求項７に記載の前記データ再伝送装置。
【請求項１３】
前記無線ネットワーク制御器は無線ベアラーセットアップ要求メッセージを用いて前記最大待機時間を前記使用者端末機へ伝送することを特徴とする請求項７に記載の前記データ再伝送装置。
【請求項１４】
前記無線ネットワーク制御器は無線ベアラー再構成要求メッセージを用いて前記最大待機時間を前記使用者端末機へ伝送することを特徴とする請求項７に記載の前記データ再伝送装置。
【請求項１５】
無線ネットワーク制御器と接続された基地局が使用者端末機へ伝送したデータを前記使用者端末機が受信失敗する場合、前記基地局から前記データを複合再伝送方式を用いて再伝送する方法において、
前記使用者端末機から前記データの再伝送要求を感知すると、前記無線ネットワーク制御器から受信した最大待機時間を前記データの再伝送時点に設定するとともに、前記データを再伝送する過程と、
前記最大待機時間を超過した場合、前記使用者端末機から前記伝送された再伝送データの受信失敗による二次再伝送要求を感知すると、前記データの再伝送を禁止する過程とを含むことを特徴とする前記データ再伝送方法。
【請求項１６】
前記最大待機時間は前記データの種類に応じて決定されることを特徴とする請求項１５に記載の前記データ再伝送方法。
【請求項１７】
前記最大待機時間は前記データの優先順位に応じて決定されることを特徴とする請求項１５に記載の前記データ再伝送方法。
【請求項１８】
前記最大待機時間内で前記二次再伝送要求を感知すると、前記データを再伝送する過程をさらに含むことを特徴とする請求項１５に記載の前記データ再伝送方法。
【請求項１９】
前記最大待機時間は前記使用者端末機に予め設定されているデータ再伝送のための最大待機時間と同じ値を有することを特徴とする請求項１５に記載の前記データ再伝送方法。
【請求項２０】
前記最大待機時間に至ると、前記データを廃棄する過程をさらに含むことを特徴とする請求項１５に記載の前記データ再伝送方法。
【請求項２１】
移動通信システムで複合再伝送方式を用いてデータを再伝送する方法において、
無線ネットワーク制御器がデータの再伝送のための最大待機時間を決定して基地局及び使用者端末機へ伝送する過程と、
前記基地局は前記最大待機時間を受信し、前記使用者端末機へ伝送する過程と、
前記使用者端末機は前記最大待機時間を受信し、前記基地局から伝送されたデータを受信してエラーが存在する場合、前記基地局に前記データの再伝送を要求するとともに、前記最大待機時間を設定する過程と、
前記基地局は前記使用者端末機から前記データの再伝送要求を感知すると、前記データを前記使用者端末機へ再伝送するとともに、前記最大待機時間を設定する過程と、
前記使用者端末機は前記最大待機時間内で前記基地局から再伝送されたデータを受信してエラーが存在する場合、前記データの二次再伝送を要求する過程と、前記最大待機時間を超過した場合、前記基地局は前記使用者端末機から前記データの二次再伝送要求を感知すると、前記データの再伝送を禁止する過程とを含むことを特徴とする前記データ再伝送方法。
【請求項２２】
前記無線ネットワーク制御器は前記データの種類に応じて前記最大待機時間を決定することを特徴とする請求項２１に記載の前記データ再伝送方法。
【請求項２３】
前記無線ネットワーク制御器は前記データの優先順位に応じて前記最大待機時間を決定することを特徴とする請求項２１に記載の前記データ再伝送方法。
【請求項２４】
前記基地局は前記最大待機時間内で前記二次再伝送要求を感知すると、前記データを再伝送する過程をさらに含むことを特徴とする請求項２１に記載の前記データ再伝送方法。
【請求項２５】
移動通信システムで複合再伝送方式を用いてデータを再伝送する装置において、
前記データの再伝送のための最大待機時間を決定して基地局及び使用者端末機へ伝送する無線ネットワーク制御器と、
前記最大待機時間を受信し、前記データを使用者端末機へ伝送した後、前記使用者端末機から前記データの再伝送要求を感知すると、前記データを再伝送するとともに、前記最大待機時間を設定し、その後、前記最大待機時間を超過した場合、前記使用者端末機から前記再伝送されたデータの異常受信による前記データの二次再伝送要求を感知すると、前記データの再伝送を禁止する基地局と、
前記最大待機時間を受信し、前記基地局から受信したデータにエラーが存在する場合、前記基地局へ前記データに対する再伝送要求を伝送するとともに、前記最大待機時間を設定し、前記再伝送要求による前記データの受信を前記最大待機時間の間のみ待機する前記使用者端末機とを含むことを特徴とする前記データ再伝送装置。
【請求項２６】
前記無線ネットワーク制御器は前記データの種類に応じて前記最大待機時間を決定することを特徴とする請求項２５に記載の前記データ再伝送装置。
【請求項２７】
前記無線ネットワーク制御器は前記データの優先順位に応じて前記最大待機時間を決定することを特徴とする請求項２５に記載の前記データ再伝送装置。
【請求項２８】
前記基地局は前記最大待機時間内で前記二次再伝送要求を感知すると、前記データを再伝送することを特徴とする請求項２５に前記データ再伝送装置。
【請求項２９】
移動通信システムで複合再伝送方式を用いてデータを再伝送する方法において、
前記データの再伝送のための最大待機時間を決定する過程と、
前記決定された最大待機時間を基地局及び使用者端末機へ伝送して前記基地局及び前記使用者端末機が前記最大待機時間を前記データの再伝送に適用するように制御する過程とを含むことを特徴とする前記データ再伝送方法。
【請求項３０】
前記最大待機時間は無線リンクセットアップ要求メッセージを通じて前記基地局へ伝送されることを特徴とする請求項２９に記載の前記データ再伝送方法。
【請求項３１】
前記最大待機時間は無線リンク再構成要求メッセージを通じて前記基地局へ伝送されることを特徴とする請求項２９に記載の前記データ再伝送方法。
【請求項３２】
前記最大待機時間は無線ベアラーセットアップ要求メッセージを通じて前記使用者端末機へ伝送されることを特徴とする請求項２９に記載の前記データ再伝送方法。
【請求項３３】
前記最大待機時間は無線ベアラー再構成要求メッセージを通じて前記使用者端末機へ伝送されることを特徴とする請求項２９に記載の前記データ再伝送方法。
【発明の詳細な説明】
【０００１】
【発明の属する技術分野】
本発明は高速順方向パケット接続方式を使用する移動通信システムに係り、特に、エラーの発生したパケットデータを再伝送する装置及び方法に関する。
【０００２】
【従来の技術】
図１は一般的な移動通信システムの構造を概略的に示した図である。前記移動通信システムはＵＭＴＳ（Ｕｎｉｖｅｒｓａｌ　Ｍｏｂｉｌｅ　Ｔｅｒｒｅｓｔｒｉａｌ　Ｓｙｓｔｅｍ）移動通信システムであって、コアネットワーク（ＣＮ：Ｃｏｒｅ　Ｎｅｔｗｏｒｋ、以下、“ＣＮ”という）１００、複数の無線ネットワークサブシステム（ＲＮＳ：Ｒａｄｉｏ　Ｎｅｔｗｏｒｋ　Ｓｕｂｓｙｓｔｅｍ、以下、“ＲＮＳ”という）１１０，１２０及び使用者端末機（ＵＥ：Ｕｓｅｒ　Ｅｑｕｉｐｍｅｎｔ、以下、“ＵＥ”という）１３０で構成される。前記ＲＮＳ１１０，１２０は無線ネットワーク制御器（ＲＮＣ：Ｒａｄｉｏ　Ｎｅｔｗｏｒｋ　Ｃｏｎｔｒｏｌｌｅｒ、以下、“ＲＮＣ”という）及び複数の基地局（Ｎｏｄｅ　Ｂ）で構成される。例えば、前記ＲＮＳ１１０は前記ＲＮＣ１１１、基地局１１３，１１５からなり、前記ＲＮＳ１２０は前記ＲＮＣ１１２、基地局１１４，１１６からなる。前記ＲＮＣはその動作に応じてＳｅｒｖｉｎｇ　ＲＮＣ（以下、“ＳＲＮＣ”と称する）又はＤｒｉｆｔ　ＲＮＣ（以下、“ＤＲＮＣ”と称する）又はＣｏｎｔｒｏｌｌｉｎｇ　ＲＮＣ（以下、“ＣＲＮＣ”と称する）に分類される。前記ＳＲＮＣは各ＵＥの情報を管理し、前記ＣＮ１００とのデータ伝送を制御するＲＮＣであり、前記ＤＲＮＣはＵＥのデータが前記ＳＲＮＣでない他のＲＮＣを通じて送受信される場合、前記他のＲＮＣとなる。前記ＣＲＮＣは基地局の各々を制御するＲＮＣである。図１において、前記ＵＥ１３０の情報をＲＮＣ１１１が管理していると、前記ＲＮＣ１１１は前記ＵＥ１３０に対するＳＲＮＣとして動作し、前記ＵＥ１３０が移動してＵＥ１３０のデータが前記ＲＮＣ１１２を通じて送受信されると、前記ＲＮＣ１１２は前記ＵＥ１３０に対するＤＲＮＣとなり、前記ＵＥ１３０と通信している基地局１１３を制御するＲＮＣ１１１は前記基地局１１３のＣＲＮＣとなる。
【０００３】
図１を参照してＵＭＴＳ移動通信システムの概略的な構造を説明した。次に、高速順方向パケット接続（ＨＳＤＰＡ：Ｈｉｇｈ　Ｓｐｅｅｄ　Ｄｏｗｎｌｉｎｋ　Ｐａｃｋｅｔ　Ａｃｃｅｓｓ、以下、“ＨＳＤＰＡ”と称する）方式を使用する移動通信システムについて説明する。
【０００４】
一般に、前記ＨＳＤＰＡ方式はＵＭＴＳ通信システムで順方向高速パケットデータ伝送を支援するための順方向データチャンネルである高速順方向共通チャンネル（ＨＳ−ＤＳＣＨ：Ｈｉｇｈ　Ｓｐｅｅｄ−Ｄｏｗｎｌｉｎｋ　Ｓｈａｒｅｄ　Ｃｈａｎｎｅｌ、以下、“ＨＳ−ＤＳＣＨ”と称する）とこれに関連する制御チャンネルを含むデータ伝送方式を総称する。前記ＨＳＤＰＡ方式を支援するために適応的変調及びコーディング（ＡＭＣ：Ａｄａｐｔｉｖｅ　Ｍｏｄｕｌａｔｉｏｎ　ａｎｄ　Ｃｏｄｉｎｇ、以下、“ＡＭＣ”と称する）方式と複合再伝送（ＨＡＲＱ：Ｈｙｂｒｉｄ　Ａｕｔｏｍａｔｉｃ　Ｒｅｔｒａｎｓｍｉｓｓｉｏｎ　Ｒｅｑｕｅｓｔ、以下、“ＨＡＲＱ”と称する）方式が提案された。一般に前記ＨＳＤＰＡ方式を使用する移動通信システムで一つのＵＥに割当て可能な直交可変拡散係数（ＯＶＳＦ：Ｏｒｔｈｏｇｏｎａｌ　Ｖａｒｉａｂｌｅ　Ｓｐｒｅａｄｉｎｇ　Ｆａｃｔｏｒ、以下、“ＯＶＳＦ”と称する）コードの最大個数は１５であり、前記変調方式としてはチャンネルの状況に応じてＱＰＳＫ（Ｑｕａｄｒａｔｕｒｅ　Ｐｈａｓｅ　Ｓｈｉｆｔ　Ｋｅｙｉｎｇ）、１６ＱＡＭ（Ｑｕａｄｒａｔｕｒｅ　Ａｍｐｌｉｔｕｄｅ　Ｍｏｄｕｌａｔｉｏｎ）及び６４ＱＡＭが適応的に選択される。下記の説明では説明の便宜上、前記ＨＳＤＰＡ方式を使用する通信システムを“ＨＳＤＰＡ通信システム”と称する。さらに、エラーの発生したデータに対して、ＵＥと基地局との間で再伝送が行われ、再伝送されたデータをソフトコンバイニング（ｓｏｆｔ　ｃｏｍｂｉｎｉｎｇ）することにより、全体的な通信効率を向上させる。すなわち、前記エラーの発生したデータに対して再伝送されたデータをソフトコンバイニングする方式が前記ＨＡＲＱ方式であり、その一例としてチャンネル停止−待機混和自動再伝送方式（ｎ−ｃｈａｎｎｅｌ　ＳＡＷ　ＨＡＲＱ：ｎ−ｃｈａｎｎｅｌ　Ｓｔｏｐ　Ａｎｄ　Ｗａｉｔ　ＨＡＲＱ、以下、“ｎ−ｃｈａｎｎｅｌ　ＳＡＷ　ＨＡＲＱ”と称する）について説明する。
【０００５】
通常的な再伝送（ＡＲＱ：Ａｕｔｏｍａｔｉｃ　Ｒｅｔｒａｎｓｍｉｓｓｉｏｎ　Ｒｅｑｕｅｓｔ、以下、“ＡＲＱ”と称する）方式では、ＵＥとＲＮＣとの間で認知（Ａｃｋｎｏｗｌｅｄｇｅｍｅｎｔ、以下、“ＡＣＫ”と称する）信号と再伝送パケットデータとの交換が行われた。しかし、前記ＨＡＲＱ方式は前記ＡＲＱ方式の伝送効率を高めるために、次の二種の方案を新たに適用した。その第一の方案はＵＥと基地局との間での再伝送要求及び応答を行うことであり、第二の方案はエラーの発生したデータを一時的に貯蔵した後、該当データの再伝送データと結合して伝送することである。さらに、前記ＨＳＤＰＡ方式では、前記ＵＥと基地局の媒体接続制御（ＭＡＣ：Ｍｅｄｉａ　Ａｃｃｅｓｓ　Ｃｏｎｔｒｏｌ、以下、“ＭＡＣ”と称する）ＨＳ−ＤＳＣＨとの間でＡＣＫ信号と再伝送パケットデータとが交換される。また、前記ＨＳＤＰＡ方式ではｎ個の論理的なチャンネルを構成してＡＣＫ信号を受けない状態で多数のパケットデータを伝送できる前記ｎ−ｃｈａｎｎｅｌ　ＳＡＷ　ＨＡＲＱ方式を導入した。前記ＳＡＷ　ＡＲＱ方式の場合、以前のパケットデータに対するＡＣＫ信号を受信しなければ、次のパケットデータを伝送することができない。
【０００６】
したがって、以前のパケットデータに対するＡＣＫ信号を受信した後、次のパケットデータを伝送するため、前記ＳＡＷ　ＡＲＱ方式はパケットデータの現在伝送が可能なのにもかかわらず、ＡＣＫ信号を待機すべき場合が発生するという短所を有する。前記ｎ−ｃｈａｎｎｅｌ　ＳＡＷ　ＨＡＲＱ方式では前記以前のパケットデータに対するＡＣＫ信号を受けない状態で多数のパケットデータを連続的に伝送してチャンネルの使用効率を高める。すなわち、ＵＥと基地局との間にｎ個の論理的なチャンネルを設定し、特定時間又はチャンネル番号で前記ｎ個のチャンネルの各々を識別できると、パケットデータを受信する前記ＵＥは任意の時点で受信したパケットデータがどのチャンネルを通じて伝送されたパケットデータであるかをわかることができ、受信順序でパケットデータを再構成するか、該当パケットデータをソフトコンバイニングするなど、必要な動作を行える。
【０００７】
より詳しくは、前記ｎ−ｃｈａｎｎｅｌ　ＳＡＷ　ＨＡＲＱ方式はＳＡＷ　ＡＲＱ方式に比べてその効率を増大させるために、次のような二種の方式を導入した。その第一の方式は受信側でエラーの発生したデータを一時的に貯蔵した後、該当データの再伝送分とソフトコンバイニングしてエラー発生確率を低める方式である。ここで、前記ソフトコンバイニング方式にはチェースコンバイニング（ＣＣ：Ｃｈａｓｅ　Ｃｏｍｂｉｎｉｎｇ、以下、“ＣＣ”と称する）方式と重複分増加（ＩＲ：Ｉｎｃｒｅｍｅｎｔａｌ　Ｒｅｄｕｎｄａｎｃｙ、　以下、“ＩＲ”と称する）方式の二種の方式が存在する。まず、前記ＣＣ方式では送信側が最初伝送と再伝送に同じフォーマットを使用する。最初伝送時にｍ個のシンボルが一つのコーディングブロックを通じて伝送されると、再伝送時にも同じｍ個のシンボルが一つのコーディングブロックを通じて伝送される。ここで、前記コーディングブロックは一つの伝送時区間（ＴＴＩ：Ｔｒａｎｓｍｉｓｓｉｏｎ　Ｔｉｍｅ　Ｉｎｔｅｒｖａｌ、以下、“ＴＴＩ”と称する）で伝送される使用者データを示す。すなわち、最初伝送と再伝送に同じコーディングレート（ｃｏｄｉｎｇ　ｒａｔｅ）が適用されてデータが伝送される。したがって、受信側は最初に伝送されたコーディングブロックと再伝送されたコーディングブロックとを結合し、前記結合されたコーディングブロックを用いてＣＲＣ（Ｃｙｃｌｉｃ　Ｒｅｄｕｎｄａｎｃｙ　Ｃｈｅｃｋ）演算を行ってそのエラー発生可否を確認する。
【０００８】
次に、前記ＩＲ方式では最初伝送と再伝送に相異なるフォーマットを使用する。例えば、ｎビットの使用者データがチャンネルコーディングを通じてｍ個のシンボルに生成されると、送信側は最初伝送時に前記ｍ個のシンボルのうち、一部のシンボルのみを伝送し、再伝送時に順次で残余シンボルを伝送する。すなわち、最初伝送と再伝送のコーディングレートを相違にしてデータを伝送する。したがって、受信側は最初に伝送されたコーディングブロックの残余部分に再伝送されたコーディングブロックを付加してコーディングレートの高いコーディングブロックを構成した後、エラー訂正を行う。前記ＩＲ方式では前記最初伝送と各々の再伝送分はＲＶ（Ｒｅｄｕｎｄａｎｃｙ　Ｖｅｒｓｉｏｎ、以下、“ＲＶ”と称する）に区分される。例えば、最初伝送がＲＶ１、次の再伝送がＲＶ２、その次の再伝送がＲＶ３に区分される。受信側は前記ＲＶ情報を用いて最初に伝送されたコーディングブロックと再伝送されたコーディングブロックを正常的に結合することができる。
【０００９】
前記ｎ−ｃｈａｎｎｅｌ　ＳＡＷ　ＨＡＲＱ方式が前記ＳＡＷ　ＡＲＱ方式の効率を高めるために導入した第二の方式は次の通りである。前記ＳＡＷ　ＡＲＱ方式では以前のパケットのＡＣＫ信号を受けなければ、パケットを伝送できないが、前記ｎ−ｃｈａｎｎｅｌ　ＳＡＷ　ＨＡＲＱ方式ではＡＣＫ信号を受けない状態で多数のパケットを連続的に伝送して無線リンクの使用効率を高める。前記ｎ−ｃｈａｎｎｅｌ　ＳＡＷ　ＨＡＲＱ方式ではＵＥと基地局との間にｎ個の論理的なチャンネルを設定し、明示的なチャンネル番号でそのチャンネルを識別すると、受信側であるＵＥは任意の時点で受信したパケットがどのチャンネルに属するパケットであるかをわかることができ、受信順序でパケットを再構成するか、該当パケットをソフトコンバイニングするなど、必要な動作を行える。前記ｎ−ｃｈａｎｎｅｌ　ＳＡＷ　ＨＡＲＱ方式を図１を参照して具体的に説明する。任意のＵＥ１３０と任意の基地局１１５との間に４−ｃｈａｎｎｅｌ　ＳＡＷ　ＨＡＲＱ方式を適用し、各チャンネルには１から４までの論理的識別子が与えられると仮定する。さらに、前記ＵＥ１３０と基地局１１５の物理階層には各チャンネルに対応するＨＡＲＱプロセッサ（以下、“プロセッサ”と称する）を備える。前記基地局１１５は最初に伝送するコーディングブロックにチャンネル識別子“１”を付加して前記ＵＥ１３０へ伝送する。該当コーディングブロックにエラーが発生すると、前記ＵＥ１３０はチャンネル識別子を通じてチャンネル１に対応するＨＡＲＱプロセッサ１へコーディングブロックを伝送し、チャンネル１に対する否定的認知（以下、“ＮＡＣＫ（Ｎｅｇａｔｉｖｅ　ＡＣＫ）”と称する）信号を前記基地局１１５へ伝送する。前記基地局１１５はチャンネル１のコーディングブロックに対するＡＣＫ信号の到着可否にかかわらず、後続くコーディングブロックをチャンネル２を通じて伝送できる。仮に、後続くコーディングブロックにもエラーが発生すると、前記ＵＥ１３０はそのコーディングブロックも対応するＨＡＲＱプロセッサへ伝送する。
【００１０】
前記基地局１１５はチャンネル１のコーディングブロックに対するＮＡＣＫ信号を前記ＵＥ１３０から受信すると、チャンネル１へ該当コーディングブロックを再伝送し、前記ＵＥ１３０はそのコーディングブロックのチャンネル識別子を通じてＨＡＲＱプロセッサ１へ前記コーディングブロックを伝える。ＨＡＲＱプロセッサ１は以前に貯蔵したコーディングブロックと再伝送されたコーディングブロックとをソフトコンバイニングする。このようにｎ−ｃｈａｎｎｅｌ　ＳＡＷ　ＨＡＲＱ方式はチャンネル識別子とＨＡＲＱプロセッサを一対一対応させる方式であって、ＡＣＫ信号が受信されるまで使用者データの伝送を遅延させず、最初に伝送されたコーディングブロックと再伝送されたコーディングブロックを適宜に対応させうる。
【００１１】
かかるＨＳＤＰＡ方式を使用する移動通信システムではパケットデータの再伝送において、ＵＥがエラーの発生したパケットデータに対して基地局に再伝送を要求する。この際、ＵＥは前記再伝送を要求した時点から前記再伝送のために予め設定された時間をＴ１タイマーを駆動させて待機する。したがって、前記設定時間内で前記基地局から再伝送を要求したパケットデータに対する再伝送分が到着する場合、再び前記Ｔ１タイマーをリセットする。これとは異なり、前記設定時間内で前記基地局から再伝送を要求したパケットデータに対する再伝送分が到着しない場合、前記ＵＥは前記ＴＩタイマーをリセットし、リオーダーリングバッファ（Ｒｅｏｒｄｅｒｉｎｇ　ｂｕｆｆｅｒ）に受信されているデータを廃棄させる。しかし、前記基地局は前記ＴＩタイマーが待機する設定時間値を把握していないため、前記設定時間経過後にも前記再伝送要求パケットデータに対する再伝送を行う。この場合、前記再伝送分が前記ＵＥで正常的に受信されるとしても廃棄されるため、不必要なパケットデータの再伝送が発生し、これによるシステム伝送資源の浪費が発生するという問題点がある。
【００１２】
【発明が解決しようとする課題】
したがって、本発明の目的は、移動通信システムでパケットデータ再伝送待機時間に相応してパケットデータを再伝送する装置及び方法を提供することにある。
本発明の他の目的は、移動通信システムで不必要なパケットデータの再伝送を防止するパケットデータ再伝送装置及び方法を提供することにある。
【００１３】
【課題を解決するための手段】
前記目的を達成するための本発明は、移動通信システムで複合再伝送方式を用いてデータを再伝送する装置において、前記データの再伝送のための最大待機時間を決定して基地局及び使用者端末機へ伝送する無線ネットワーク制御器と、前記最大待機時間を受信し、前記データを使用者端末機へ伝送した後、前記使用者端末機から前記データの再伝送要求を感知すると、前記データを再伝送するとともに、前記最大待機時間を設定し、その後、前記最大待機時間を超過した場合、前記使用者端末機から前記再伝送されたデータの異常受信による前記データの二次再伝送要求を感知すると、前記データの再伝送を禁止する基地局と、前記最大待機時間を受信し、前記基地局から受信したデータにエラーが存在する場合、前記基地局へ前記データに対する再伝送要求を伝送するとともに、前記最大待機時間を設定し、前記再伝送要求による前記データの受信を前記最大待機時間の間のみ待機する前記使用者端末機とを含むことを特徴とする。
【００１４】
さらに、前記目的を達成するための本発明は、移動通信システムで複合再伝送方式を用いてデータを再伝送する方法において、無線ネットワーク制御器がデータの再伝送のための最大待機時間を決定して基地局及び使用者端末機へ伝送する過程と、前記基地局は前記最大待機時間を受信し、前記使用者端末機へデータを伝送する過程と、前記使用者端末機は前記最大待機時間を受信し、前記基地局から伝送されたデータを受信してエラーが存在する場合、前記基地局に前記データの再伝送を要求するとともに、前記最大待機時間を設定する過程と、前記基地局は前記使用者端末機から前記データの再伝送要求を感知すると、前記データを前記使用者端末機へ再伝送するとともに、前記最大待機時間を設定する過程と、前記使用者端末機は前記最大待機時間内で前記基地局から再伝送されたデータを受信してエラーが存在する場合、前記データの二次再伝送を要求する過程と、前記最大待機時間を超過した場合、前記基地局は前記使用者端末機から前記データの二次再伝送要求を感知すると、前記データの再伝送を禁止する過程とを含むことを特徴とする。
【００１５】
【発明の実施の形態】
以下、本発明の好適な実施例を添付図面に参照して詳細に説明する。下記の説明において、本発明の要旨のみを明確にする目的で、関連した公知機能又は構成に関する具体的な説明は省略する。
【００１６】
図２は高速順方向パケット接続（ＨＳＤＰＡ）方式を使用する移動通信システムのパケットデータ再伝送を概略的に示した図である。図２を参照すれば、基地局（Ｎｏｄｅ　Ｂ）２１０は高速順方向物理共通チャンネル（ＨＳ−ＰＤＳＣＨ：Ｈｉｇｈ　Ｓｐｅｅｄ−Ｐｈｙｓｉｃａｌ　Ｄｏｗｎｌｉｎｋ　Ｓｈａｒｅｄ　Ｃｈａｎｎｅｌ、以下、“ＨＳ−ＰＤＳＣＨ”と称する）を通じて使用者端末機（ＵＥ）２２０へパケットデータを伝える。図２には前記基地局２１０が前記ＵＥ２２０へ第１乃至第９パケットデータを伝送する場合を示した。図２に示したように、基地局２１０はＨＳ−ＰＤＳＣＨを通じてＵＥ２２０へパケットデータを送信し、前記ＵＥ２２０は前記基地局２１０から受信されるパケットデータに対する認知（ＡＣＫ）信号又は否定的認知（ＮＡＣＫ）信号を逆方向（ＵＬ：Ｕｐｌｉｎｋ）専用物理制御チャンネル（ＤＰＣＣＨ：Ｄｅｄｉｃａｔｅｄ　Ｐｈｙｓｉｃａｌ　Ｃｏｎｔｒｏｌ　Ｃｈａｎｎｅｌ、　以下、“ＤＰＣＣＨ”と称する）を通じて前記基地局２１０へ送信する。前記基地局２１０は前記第１乃至第９パケットデータの各々に伝送シーケンス番号（ＴＳＮ：ｔｒａｎｓｍｉｓｓｉｏｎ　ｓｅｑｕｅｎｃｅ　ｎｕｍｂｅｒ、以下、“ＴＳＮ”と称する）を割当て、前記ＵＥ２２０は受信されるパケットデータのＴＳＮを検出してどのパケットデータが受信されるかを識別する。前記第１乃至第４パケットデータは、例えば、第１チャンネルを通じて複合再伝送方式（ＨＡＲＱ）を用いて処理されているパケットデータであり、前記第５乃至第９パケットデータは第２チャンネルを通じてＨＡＲＱ方式を用いて処理されているパケットデータである。より詳しく説明すると、前記第１乃至第４パケットデータは同じバッファで処理されているパケットデータであり、前記第５乃至第９パケットデータは他のバッファで処理されているパケットデータである。このように前記基地局２１０は第１パケットデータから前記ＵＥ２２０へパケットデータを順次に伝送する。前記ＵＥ２２０は前記基地局２１０から受信されるパケットデータに対してＣＲＣ検査を行って該当受信パケットデータが正常的に受信されるかを検査する。その検査結果、受信パケットデータが正常的に受信される場合、前記ＵＥ２２０は該当パケットデータの正常受信を示すＡＣＫ信号を基地局へ伝送し、受信パケットデータが正常的に受信されない場合、該当パケットデータの異常受信を示すＮＡＣＫ信号を基地局２１０へ伝送する。すなわち、図２に示したように、基地局２１０が第１パケットデータをＵＥ２２０へ送信すると（参照符号２０１）、前記ＵＥ２２０は前記第１パケットデータを受信してＣＲＣ検査を行う。その結果、前記第１パケットデータが正常的に受信されない場合、前記ＵＥ２２０はＮＡＣＫ信号を前記基地局２１０へ伝送する（参照符号２０２）。その後、前記基地局２１０は前記ＵＥ２２０が伝送したＮＡＣＫ信号を受信して前記第１パケットデータを前記ＵＥ２２０へ再伝送する（参照符号２０４）。この際、前記基地局２１０はＵＥ２２０が異常受信パケットに対する情報を提供しなくても、ＮＡＣＫ信号の受信時点に基づいて自分が伝送したパケットのうち、どのパケットが異常受信されたかをわかる。したがって、参照符号２０４で説明したように、前記第１パケットデータを再伝送することができる。これとは反対に、前記基地局２１０が第５パケットデータをＵＥ２２０へ送信した場合（参照符号２０５）、前記第５パケットデータが正常的に受信されたため、前記ＵＥ２２０は基地局２１０へＡＣＫ信号を伝送する（参照符号２０３）。
【００１７】
しかし、前記基地局２１０から受信されたパケットデータが正常的に受信されない場合、前記ＵＥ２２０は物理階層でＣＲＣ検査を通じてＮＡＣＫ信号を前記基地局２１０へ伝送する。前記ＵＥ２２０は高速媒体接続制御（ＭＡＣ−ｈｓ：ＭｅｄｉａＡｃｃｅｓｓ　Ｃｏｎｔｒｏｌ−ｈｉｇｈ　ｓｐｅｅｄ、以下、“ＭＡＣ−ｈｓ”と称する）階層で前記異常受信パケットの次のパケットを受信するまではＵＥ２２０の自分が備えているタイマーを駆動しない。これを詳細に説明すると、基地局２１０から同じバッファで伝送された第１パケットデータの異常受信と第２パケットデータの正常受信がＭＡＣ−ｈｓ階層で感知されると、ＵＥ２２０は前記第１パケットデータに対する異常受信を認知してＵＥ２２０の自分が備えているタイマーを駆動させて所定の設定待機時間の間に前記異常受信パケットデータに対する再伝送を待機する。前記ＵＥ２２０は自分が備えているタイマーを駆動させ、正常受信パケットに対してはリオーダーリングバッファにバッファリングし、異常受信パケットに対する再伝送を待機する。
【００１８】
上述したように、前記ＵＥ２２０は基地局２１０の同じリオーダーリングバッファから受信されるパケットは同じリオーダーリングバッファに、他のリオーダーリングバッファから受信されるパケットは他のリオーダーリングバッファに割当てる。ここで、前記ＵＥ２２０は前記リオーダーリングバッファを割当てる度ごとに、前記リオーダーリングバッファ別にＴ１タイマーを割当て、前記Ｔ１タイマーが設定されている設定待機時間を待機完了すると、前記ＵＥ２２０は前記リオーダーリングバッファにバッファリングされているパケットデータを上位階層へ伝える。例えば、ＴＳＮ＃１に該当するパケットデータが受信されない状態でＴＳＮ＃２のパケットデータが受信される場合、前記ＵＥ２２０はリオーダーリングバッファを割当てて前記ＴＳＮ＃２のパケットデータをバッファリングするとともに、前記リオーダーリングバッファにＴ１タイマーを割当てて駆動を開始する。前記Ｔ１タイマーが前記Ｔ１タイマーに設定されている設定待機時間を待機完了するまで前記ＴＳＮ＃１のパケットデータが受信されない場合、前記ＵＥ２２０は前記ＴＳＮ＃２とその後に順次に到着するすべてのパケットデータを上位階層へ伝える。このように前記リオーダーリングバッファにバッファリングされているパケットデータのすべてが上位階層へ伝えられると、前記Ｔ１タイマはリセットされる。これとは反対に、前記Ｔ１タイマーが前記設定待機時間を完了するまえに前記ＴＳＮ＃１に該当するパケットデータの再伝送分が受信される場合、前記ＵＥ２２０は前記再伝送されたＴＳＮ＃１のパケットデータ、前記ＴＳＮ＃２のパケットデータ及びその後に順次に到着するすべてのパケットデータを上位階層へ伝え、前記Ｔ１タイマーはリセットされる。このように正常的に受信できないパケットデータが発生する場合、連続的にこのようなバッファリング及び待機動作が反復される。
【００１９】
ところが、前記Ｔ１タイマーが設定待機時間を待機する間に前記ＴＳＮ＃１のパケットデータの以後に受信されたパケットデータのうち、ＴＳＮ＃４のパケットデータが正常的に受信されない場合、前記ＵＥ２２０は以前に前記ＴＳＮ＃１のパケットデータに割当てられたＴ１タイマーを続けて駆動させ、前記設定待機時間内で前記ＴＳＮ＃１のパケットデータが到達すると、ＴＳＮ＃４のパケットデータの再伝送待機のためにＴ１タイマーをリセットして再び前記設定待機時間を待機する。これとは反対に、以前に前記ＴＳＮ＃１のパケットデータに割当てられたＴ１タイマーを続けて駆動させ、前記設定待機時間内で前記ＴＳＮ＃１のパケットデータが到達しないと、前記ＵＥ２２０はその時点まで到着した前記ＴＳＮ＃２、ＴＳＮ＃３のパケットデータをそのまま上位階層へ伝送し、前記ＴＳＮ＃４のパケットデータに対してはＴ１タイマーを再び駆動させる。一方、前記Ｔ１タイマーの待機時間を示すＴ１値は前記基地局２１０がＵＥ２２０に知らせることもできる。しかし、前記Ｔ１値を基地局２１０が識別できない場合、上述したように、ＵＥ２２０が該当パケットデータ、すなわち、ＴＳＮ＃１のパケットデータに対するすべての処理過程の終了にもかかわらず、前記基地局２１０は前記ＴＳＮ＃１のパケットデータを前記ＵＥ２２０へ連続的に送信する場合が発生する。しかし、前記Ｔ１値の最大時間以後に前記ＵＥ２２０に到達するＴＳＮ＃１のパケットデータは正常的に受信されるとしても、前記ＵＥ２２０には不必要なパケットデータとなる。したがって、前記ＵＥ２２０は前記ＴＳＮ＃１のパケットデータを廃棄する。すなわち、前記Ｔ１値の経過後に基地局２１０が前記ＴＳＮ＃１のパケットデータを再伝送することは無意味になるという問題点がある。
【００２０】
図３は本発明の実施例における機能を行うための基地局側のＭＡＣ−ｈｓ階層制御器の構造を示した図である。図３を参照すれば、ＭＡＣ−ｈｓ階層制御器３３０はＨＡＲＱ制御器／優先順位キュー制御器（ＨＡＲＱ　ｃｏｎｔｒｏｌｌｅｒ／Ｐｒｉｏｒｉｔｙ　ｑｕｅｕｅ　ｃｏｎｔｒｏｌｌｅｒ、以下、“ＨＰＣ”と称する）３４０、スケジューラ／優先順位処理器（Ｓｃｈｅｄｕｌｅｒ／Ｐｒｉｏｒｉｔｙ　Ｈａｎｄｌｅｒ、以下、“ＳＰＨ”と称する）３５０及び構成制御器（ＣＣ：Ｃｏｎｆｉｇｕｒａｔｉｏｎ　Ｃｏｎｔｒｏｌｌｅｒ、以下、“ＣＣ”と称する）３６０で構成される。ここで、前記ＨＰＣ３４０とＳＰＨ３５０はＵＥが任意のパケットデータに対してエラーが発生した場合、再伝送を待機するＵＥ側のＴ１タイマーの設定待機時間値Ｔ１を有する基地局側のＴ１タイマー（図示せず）を備える。前記ＨＰＣ３４０はＵＥが伝送する第２専用物理チャンネル（Ｓｅｃｏｎｄａｒｙ　ＤＰＣＨ、以下、“Ｓｅｃｏｎｄａｒｙ　ＤＰＣＨ”と称する）を通じて前記基地局が送信した任意のチャンネル信号に対するＡＣＫ／ＮＡＣＫ信号を受信すると（参照符号３０１）、ＨＡＲＱ再伝送バッファ（図示せず）にバッファリングされているコーディングブロックの除去を命令する。すなわち、前記ＨＰＣ３４０は任意のチャンネルｘに対するＡＣＫ信号を受信すると、前記チャンネルｘに割当てられているＨＡＲＱ再伝送バッファにバッファリングされているコーディングブロックの除去を命令する（参照符号３１６）。これとは反対に、前記チャンネルｘに対するＮＡＣＫ信号を受信すると、前記ＨＰＣ３４０は前記チャンネルｘを通じて伝送されたパケットデータに対する再伝送の必要性をＳＰＨ３５０に通告する（参照符号３１４）。前記チャンネルｘを通じて伝送されたパケットデータに対する再伝送の必要性によって、上述したように、ＵＥ側で前記チャンネルｘを通じて伝送されたパケットデータにエラーが発生する場合に待機する設定時間Ｔ１値を有するＴ１タイマーの駆動を開始する。ここで、前記Ｔ１タイマーは０から待機可能な最大値である設定待機時間値Ｔ１まで伝送時区間（ＴＴＩ：Ｔｒａｎｓｍｉｓｓｉｏｎ　Ｔｉｍｅ　Ｉｎｔｅｒｖａｌ、以下、“ＴＴＩ”と称する）の単位で増加する。もちろん、前記Ｔ１タイマーは時間の単位で増加することもできるが、本発明ではＴＴＩの単位で増加する場合を例示する。
【００２１】
さらに、前記ＨＰＣ３４０はＳＰＨ３５０から他のパケットデータの伝送に影響を及ぼさない時点で前記エラーの発生したパケットデータ、すなわち、使用者データの再伝送命令を受信すると（参照符号３１５）、前記ＨＡＲＱ再伝送バッファ又は優先順位キューに該当するパケットデータの再伝送命令を伝える（参照符号３１６，３１７）。同時に、前記ＨＰＣ３４０は前記再伝送パケットデータを処理するＨＡＲＱチャンネル番号情報、ＲＶ情報及び新規データ指示子（ＮＤＩ：Ｎｅｗ　Ｄａｔａ　Ｉｎｄｉｃａｔｏｒ、以下、“ＮＤＩ”と称する）情報を高速共通制御チャンネル（ＨＳ−ＳＣＣＨ：Ｈｉｇｈ　Ｓｐｅｅｄ−Ｓｈａｒｅｄ　Ｃｏｎｔｒｏｌ　Ｃｈａｎｎｅｌ、以下、“ＨＳ−ＳＣＣＨ”と称する）送信機（図示せず）へ伝える（参照符号３１８）。ここで、前記ＲＶ情報は再伝送されるパケットデータが何番目の再伝送パケットデータであるかを示すための情報である。例えば、最初伝送がＲＶ１、再伝送がＲＶ２、その次の再伝送がＲＶ３などに区分される。受信側は前記ＲＶ情報を用いて最初伝送分と再伝送分を正確に結合することができる。さらに、前記ＮＤＩ情報は現在伝送されるパケットデータが新たなパケットデータ又は再伝送されるパケットデータであるかを示す情報である。例えば、前記ＮＤＩ情報が０である場合は新たなパケットデータの伝送を示し、前記ＮＤＩ情報が１である場合は再伝送されるパケットデータの伝送を示す。
【００２２】
一方、前記ＳＰＨ３５０は前記ｓｅｃｏｎｄａｒｙ　ＤＰＣＨを通じて伝送されるチャンネル品質報告（ＣＱＲ：Ｃｈａｎｎｅｌ　Ｑｕａｌｉｔｙ　Ｒｅｐｏｒｔ、以下、“ＣＱＲ”と称する）を受信し（ステップ３０２）、前記優先順位キューからバッファ状態を受信し（参照符号３０３）、　前記ＨＰＣ３４０から該当パケットデータに対する再伝送可否を受信して次のＴＴＩでＨＳ−ＰＤＳＣＨを通じてパケットデータを伝送する優先順位キューを決定する。さらに、前記ＳＰＨ３５０は前記ＨＳ−ＰＤＳＣＨの伝送時に適用する変調方式（ＭＳ：Ｍｏｄｕｌａｔｉｏｎ　ｓｃｈｅｍｅ、以下、“ＭＳ”と称する）情報、ＨＳ−ＰＤＳＣＨチャンネル化コード情報（以下、“ｃｏｄｅ　ｉｎｆｏ”と称する）及び前記ＨＳ−ＰＤＳＣＨを通じて伝送するパケットデータの量、すなわち、トランスポートブロックサイズ（ＴＢＳ：Ｔｒａｎｓｐｏｒｔ　Ｂｌｏｃｋ　Ｓｉｚｅ、以下、“ＴＢＳ”と称する）情報のような制御情報を決定する。前記決定したＭＳ情報、ＴＢＳ情報、ｃｏｄｅ　ｉｎｆｏ及び前記ＭＳ情報、ＴＢＳ情報及びｃｏｄｅ　ｉｎｆｏが伝送されるＨＳ−ＳＣＣＨを示すＨＳ−ＳＣＣＨの論理的識別子、すなわち、ＨＳ−ＳＣＣＨ　ＩＤを前記ＨＳ−ＳＣＣＨ送信機へ伝える（参照符号３０８，３０９，３１０，３２０）。前記ＨＳ−ＳＣＣＨ送信機は前記ＨＳ−ＳＣＣＨ　ＩＤを有するＨＳ−ＳＣＣＨを通じて前記ＭＳ情報、ＴＢＳ情報及びｃｏｄｅ　ｉｎｆｏを送信して該当ＵＥが受信するように制御する。さらに、前記ＳＰＨ３５０はパケットデータを伝送する優先順位キュー又はＨＡＲＱ再伝送バッファの識別子とＴＢＳ情報を前記ＨＰＣ３４０へ伝える（参照符号３１５）。前記ＴＢＳ情報は６ビット情報であるＴＢＳインデックスなどで表現されうるが、本発明ではその詳細な説明を省略する。
【００２３】
次に、前記ＣＣ３６０はＮＢＡＰ（Ｎｏｄｅ　Ｂ　Ａｐｐｌｉｃａｔｉｏｎ　Ｐａｒｔ、以下、“ＮＢＡＰ”と称する）階層から構成情報を受信して（参照符号３１２）ＭＡＣ−ｈｓ階層と物理階層を構成する。ここで、前記構成情報とはＨＡＲＱプロセスの設定、ＨＡＲＱ再伝送バッファの割当て及び優先順位キュー構成などに必要な情報と前記ＨＳ−ＳＣＣＨ送信のために必要な制御情報をいう。前記ＣＣ３６０は前記ＨＳ−ＳＣＣＨ送信関連制御情報と前記制御情報が伝送されるＨＳ−ＳＣＣＨ　ＩＤを前記ＮＢＡＰ階層及びＨＳ−ＳＣＣＨ送信機へ伝える（参照符号３１９、３１１）。さらに、前記ＣＣ３６０は前記ＮＢＡＰ階層から入力される前記構成情報のうち、ＵＥ識別子をＨＳ−ＳＣＣＨ送信機へ伝送し（参照符号３１１）、前記ＮＢＡＰ階層から入力される前記構成情報のうち、前記ＵＥが受信可能なＨＳ−ＰＤＳＣＨ用の直交可変拡散係数（ＯＶＳＦ：Ｏｒｔｈｏｇｏｎａｌ　Ｖａｒｉａｂｌｅ　Ｓｐｒｅａｄｉｎｇ　Ｆａｃｔｏｒ、以下、“ＯＶＳＦ”と称する）コードの個数情報を前記ＳＰＨ３５０へ伝える（参照符号３１３）。
【００２４】
特に、本発明はパケットデータの再伝送のためのスケジューリングをＵＥ側のＴ１タイマーとともに基地局に新たに一つのタイマーを設定して前記ＵＥから受信する任意のパケットデータの正常受信可否に応じて駆動されるように制御することにより、効率的なパケットデータの伝送を可能にする。ここで、前記基地局に具現されるタイマーも前記Ｔ１タイマーが待機する設定待機時間値Ｔ１と同じ設定待機時間を待機する。したがって、前記ＳＰＨ３５０及びＨＰＣ３４０は任意の再伝送パケットデータに対して前記新たなＴ１タイマーを駆動した後、前記設定待機時間値Ｔ１に至ると、前記任意の再伝送パケットデータに対する再伝送動作を中止して不必要なパケットデータの再伝送動作を取り除く。以下、説明の便宜上、前記設定待機時間値Ｔ１を待機するＴ１カウンターのうち、ＵＥに備えられているＴ１カウンターを“ＵＥ側のＴ１カウンター”と称し、基地局に備えられているＴ１カウンターを“基地局側のＴ１カウンター”と称する。
【００２５】
ここで、前記Ｔ１タイマーのパケットデータ再伝送待機によるパケットデータ再伝送過程を図４を参照して説明する。図４は本発明の実施例によるパケットデータ再伝送過程を概略的に示した信号流れ図である。図４を参照すれば、無線ネットワーク制御器（ＲＮＣ：Ｒａｄｉｏ　Ｎｅｔｗｏｒｋ　Ｃｏｎｔｒｏｌｌｅｒ、以下、“ＲＣＮ”と称する）４３０は基地局４２０へ無線リンクセットアップ要求メッセージ又は無線リンク再構成要求メッセージのようなＮＢＡＰメッセージを通じて基地局側のＴ１カウンターがパケットデータ再伝送のために待機する最大待機時間値である“Ｔ１＿ｍａｘ”を伝送する（ステップ４０１）。ここで、前記無線リンクセットアップ要求メッセージ又は無線リンク再構成要求メッセージにはパケットデータを伝送する無線リンク、例えば、ＨＳ−ＰＤＳＣＨに適用されるｃｏｄｅ　ｉｎｆｏ情報及びスクランブルコード（ｓｃｒａｍｂｌｉｎｇ　ｃｏｄｅ）情報などが含まれている。前記ＲＮＣ４３０はＵＥ４１０に一つのリオーダーリングバッファが生成される場合は前記一つのリオーダーリングバッファに割当てられる最大待機時間値Ｔ１＿ｍａｘのみ基地局４２０へ伝送するが、前記ＵＥ４１０に多数のリオーダーリングバッファが生成される場合は前記多数のリオーダーリングバッファに割当てられるＴ１＿ｍａｘのすべてを前記基地局４２０へ伝送すべきである。すなわち、前記最大待機時間値Ｔ１＿ｍａｘはリオーダーリングバッファ別に伝送され、前記最大待機時間値Ｔ１＿ｍａｘは前記ＲＮＣ４３０により決定されて前記基地局４２０へ伝送される。
【００２６】
ここで、前記ＲＮＣ４２０がリオーダーリングバッファに応じて前記最大待機時間値Ｔ１＿ｍａｘを決定する過程を説明すると、次の通りである。
【００２７】
まず、前記ＲＮＣ４３０はリオーダーリングバッファに応じてＴ１タイマー待機時間の最大待機時間値Ｔ１＿ｍａｘを決定するとき、前記リオーダーリングバッファの各々にバッファリングされるパケットデータの種類に応じて決定する。すなわち、前記リオーダーリングバッファにバッファリングされるパケットデータの種類が高速伝送を要求する場合、前記ＲＮＣ４３０は前記最大待機時間値Ｔ１＿ｍａｘを比較的小さい値を有するように決定する。これとは反対に、前記リオーダーリングバッファにバッファリングされるパケットデータの種類が高速伝送よりは正確な伝送を要求する場合、前記ＲＮＣ４３０は前記最大待機時間値Ｔ１＿ｍａｘを比較的大きい値を有するように決定する。例えば、パケットデータの種類１がｉｎｔｅｒａｃｔｉｖｅデータであり、パケットデータの種類２がｂａｃｋｇｒｏｕｎｄデータである場合、前記ＲＮＣ４３０は前記ｉｎｔｅｒａｃｔｉｖｅデータがバッファリングされるリオーダーリングバッファの最大待機時間値Ｔ１＿ｍａｘを前記ｂａｃｋｇｒｏｕｎｄデータがバッファリングされるリオーダーリングバッファの最大待機時間値Ｔ１＿ｍａｘより大きく設定する。ここで、ＵＭＴＳトラフィッククラス（ｔｒａｆｆｉｃ　ｃｌａｓｓ）はＣｏｎｖｅｒｓａｔｉｏｎａｌ　ｃｌａｓｓ、Ｓｔｒｅａｍｉｎｇ　ｃｌａｓｓ、Ｉｎｔｅｒａｃｔｉｖｅ　ｃｌａｓｓ及びｂａｃｋｇｒｏｕｎｄ　ｃｌａｓｓに分類される。前記Ｃｏｎｖｅｒｓａｔｉｏｎａｌ　ｃｌａｓｓは動映像のような実時間大容量高速データに割当てられるクラスであり、Ｓｔｒｅａｍｉｎｇ　ｃｌａｓｓはＶＯＤ（ｖｉｄｅｏ　ｏｎ　ｄｅｍａｎｄ）のようなデータに割当てられるクラスであり、Ｉｎｔｅｒａｃｔｉｖｅ　ｃｌａｓｓはＷＥＢサービスのようなデータに割当てられるクラスであり、ｂａｃｋｇｒｏｕｎｄ　ｃｌａｓｓは最下位のクラスとしてＵＭＴＳトラフィッククラスのうち、最も優先順位が低い。すなわち、前記ｉｎｔｅｒａｃｔｉｖｅデータサービスを受信しようとするＵＥが前記ｂａｃｋｇｒｏｕｎｄデータサービスより即刻的な情報を得るためである。
【００２８】
さらに、上述した一例では伝送するパケットデータの種類に応じて前記ＲＮＣ４３０が最大待機時間値Ｔ１＿ｍａｘを決定する場合を説明したが、パケットデータの種類のみならず、パケットデータの優先順位に応じて最大待機時間値Ｔ１＿ｍａｘを決定することもできる。すなわち、前記リオーダーリングバッファにバッファリングされるパケットデータの優先順位が比較的高い優先順位を有する場合、前記ＲＮＣ４３０は前記最大待機時間値Ｔ１＿ｍａｘを比較的小さい値を有するように決定する。これとは反対に、前記リオーダーリングバッファにバッファリングされるパケットデータの優先順位が比較的低い優先順位を有する場合、前記ＲＮＣ４３０は前記最大待機時間値Ｔ１＿ｍａｘを比較的大きい値を有するように決定する。このように優先順位が低くなるほど、前記最大待機時間値Ｔ１＿ｍａｘを比較的大きい値を有するように決定することは、優先順位の低いパケットデータの場合、前記最大待機時間値Ｔ１＿ｍａｘを比較的小さい値を有するように決定すると、優先順位の高い他のパケットデータの伝送により再伝送時点が遅延されるからである。この場合、ＵＥ側はＴ１タイマーの待機時間内でエラーの発生したパケットデータに対する再伝送分が到着せず、前記待機時間以後に再伝送分が到着するため、前記待機時間以後に到着した再伝送分を廃棄する。さらに、再伝送の優先順位が最初伝送の優先順位にかかわらず、比較的高い優先順位に再調整される場合、前記最大待機時間値Ｔ１＿ｍａｘは最初伝送の優先順位にかかわらず、決定される。また、前記最大待機時間値Ｔ１＿ｍａｘは前記ＵＭＴＳトラフィッククラス当たり許容された最大遅延時間値Ｔ０より小さい値に決定されるべきである。ここで、前記最大遅延時間値Ｔ０は前記ＵＭＴＳトラフィッククラス当たり予め決定されている値をいい、特定のトラフィッククラスでデータ伝送遅延を待機できる最大時間値を示す。したがって、前記最大待機時間値Ｔ１＿ｍａｘは各トラフィッククラスの適宜なサービス品質を維持するように前記最大遅延時間値Ｔ０より小さい値に決定されるべきである。例えば、リオーダーリングバッファにバッファリングされるパケットデータが前記Ｓｔｒｅａｍｉｎｇ　ｃｌａｓｓに該当するデータである場合、前記ＲＮＣ４３０は最大待機時間値Ｔ１＿ｍａｘを前記Ｓｔｒｅａｍｉｎｇ　ｃｌａｓｓに設定されている最大遅延値Ｔ０より小さい値に決定する。
【００２９】
さらに、前記最大待機時間値Ｔ１＿ｍａｘは無線リンクセットアップ要求メッセージ又は無線リンク再構成要求メッセージを通じて伝えられる多数の情報のうち、ＨＳ−ＤＳＣＨ周波数分割多重（ＦＤＤ：Ｆｒｅｑｕｅｎｃｙ　Ｄｉｖｉｓｉｏｎ　Ｄｕｐｌｅｘ、以下、“ＦＤＤ”と称する）情報に含まれて伝送されるが、下記の表１にＨＳ−ＤＳＣＨ　ＦＤＤ情報の構造を示した。
【表１】
2004007654.tif 000003
【００３０】
表１に示したように、既存のＨＳ−ＤＳＣＨ　ＦＤＤ情報に前記最大待機時間値Ｔ１＿ｍａｘをさらに含ませる。
【００３１】
ここで、前記ＨＳ−ＤＳＣＨ　ＦＤＤ情報を説明すると次の通りである。まず、前記ＨＳ−ＤＳＣＨ　ＦＤＤ情報は３種のＨＳ−ＤＳＣＨ　ＭＡＣ階層で専用チャンネルを管理するための情報を含む。前記３種の情報は（１）ＨＳ−ＤＳＣＨ　ＭＡＣ−ｄ（ｄｅｄｉｃａｔｅｄ）流れ情報（ＨＳ−ＤＳＣＨ　ＭＡＣ−ｄ　Ｆｌｏｗ　Ｓｐｅｃｉｆｉｃ　Ｉｎｆｏｒｍａｔｉｏｎ）、（２）ＵＥ性能情報（ＵＥ　Ｃａｐａｂｉｌｉｔｉｅｓ　ｉｎｆｏｒｍａｔｉｏｎ）及び（３）ＨＡＲＱ関連メモリ割当て情報（ＨＡＲＱ　ｍｅｍｏｒｙ　ｐａｒｔｉｔｉｏｎｉｎｇ）を含む。前記最大待機時間値Ｔ１＿ｍａｘは前記ＨＳ−ＤＳＣＨ　ＭＡＣ−ｄ流れ情報のうち、優先順位キュー情報（Ｐｒｉｏｒｉｔｙ　Ｑｕｅｕｅ　Ｉｎｆｏｒｍａｔｉｏｎ）に含まれる。さらに、前記ＨＳ−ＤＳＣＨ　ＦＤＤ情報のレンジ（ｒａｎｇｅ）バウンド情報は下記の表２に示した通りである。
【表２】
2004007654.tif 000004
【００３２】
このように前記無線リンクセットアップ要求メッセージ又は無線リンク再構成要求メッセージを受信した前記基地局４２０は前記無線リンクセットアップ要求メッセージ又は無線リンク再構成要求メッセージに含まれている前記最大待機時間値Ｔ１＿ｍａｘを検出して前記基地局４２０が備えているリオーダーリングバッファに応じて前記最大待機時間値Ｔ１＿ｍａｘを設定した後、前記ＲＮＣ４３０へ前記無線リンクセットアップ要求メッセージ又は無線リンク再構成要求メッセージに対する応答メッセージである無線リンクセットアップ応答メッセージ又は無線リンク再構成応答メッセージを送信する（ステップ４０２）。その後、前記基地局４２０はＵＥから受信されるＮＡＣＫ信号による再伝送時にリオーダーリングバッファの待機時間を前記受信した最大待機時間値Ｔ１＿ｍａｘで管理する。すなわち、前記基地局４２０は前記無線リンクセットアップ要求メッセージ又は無線リンク再構成要求メッセージに含まれている情報を用いてＭＡＣ−ｈｓ階層と物理階層などを構成する。すなわち、前記基地局４２０はＨＡＲＱプロセスの設定、ＨＡＲＱ再伝送バッファの割当て及び優先順位キューの構成などのような動作を行う。
【００３３】
前記基地局４２０から前記無線リンクセットアップ応答メッセージ又は無線リンク再構成応答メッセージを受信したＲＮＣ４３０はＵＥ４１０へ無線資源制御（ＲＲＣ：Ｒａｄｉｏ　Ｒｅｓｏｕｒｃｅ　Ｃｏｎｔｒｏｌ、以下、“ＲＲＣ”と称する）メッセージのうち、任意の一つのＲＲＣメッセージ、例えば、無線ベアラーセットアップ要求メッセージ又は無線ベアラー再構成要求メッセージを用いて前記決定した最大時間値Ｔ１＿ｍａｘを伝送する（ステップ４０３）。ここで、前記最大時間値Ｔ１＿ｍａｘは表１で説明したように、Ｔ１＿ｍａｘ情報を通じて伝送される。前記ＵＥ４１０は前記ＲＲＣメッセージを受信し、前記ＲＲＣメッセージに含まれている最大待機時間値Ｔ１＿ｍａｘを検出して前記ＵＥ４１０が備えているリオーダーリングバッファの待機時間を前記最大待機時間値Ｔ１＿ｍａｘで管理する。その後、前記ＵＥ４１０は前記ＲＮＣ４３０へ前記無線ベアラーセットアップ要求メッセージ又は無線ベアラー再構成要求メッセージに対する応答メッセージ、すなわち、無線ベアラーセットアップ応答メッセージ又は無線ベアラー再構成応答メッセージを伝送する（ステップ４０４）。このように前記基地局４２０とＵＥ４１０との無線リンク及び無線ベアラーセットアップ又は再構成が完了されると、前記基地局４２０とＵＥ４１０との通信が始まる。したがって、前記基地局４２０は前記ＵＥ４１０からエラーの発生したパケットデータに対するＮＡＣＫ信号が受信されると、ＨＡＲＱ動作を通じて前記エラーの発生したパケットデータに対する再伝送を行う。ここで、前記再伝送は前記最大待機時間値Ｔ１＿ｍａｘの間のみ行われて不必要な再伝送を取り除く。
【００３４】
次に、基地局４２０のパケットデータ再伝送動作を図５を参照して説明する。図５は本発明の実施例による基地局のＨＡＲＱ動作過程を示した順序図である。本発明の実施例による基地局４２０のＨＡＲＱ動作は二種の方法に分けられるが、まず、その第１の方法について説明する。
【００３５】
図５を参照すれば、ステップ５１１で基地局４２０はＴＳＮが任意の一連番号（ＳＮ：Ｓｅｒｉａｌ　Ｎｕｍｂｅｒ、以下、“ＳＮ”と称する）を有するパケットデータをＵＥ４１０へ送信した後、ステップ５１３へ進行する。ここで、前記ＳＮについて説明すると次の通りである。まず、上位階層から伝えられた使用者データを無線リンク制御（ＲＬＣ：Ｒａｄｉｏ　Ｌｉｎｋ　Ｃｏｎｔｒｏｌ、以下、“ＲＬＣ”と称する）階層からＭＡＣ階層へ伝えるとき、前記使用者データの量が前記ＲＬＣ階層とＭＡＣ階層との間の伝送単位であるプロトコルデータユニット（ＰＤＵ：Ｐｒｏｔｏｃｏｌ　Ｄａｔａ　Ｕｎｉｔ、以下、“ＰＤＵ”と称する）を超過する場合、前記ＲＬＣ階層は前記使用者データを前記ＰＤＵの単位で分割する。その後、前記使用者データは多数のＰＤＵに分割されるが、前記多数のＰＤＵの一連順序を示すものがＳＮである。したがって、前記ＲＬＣ階層は前記分割されたＰＤＵの各々に該当ＳＮを有するヘッダーを含ませてＲＬＣ−ＰＤＵを生成する。さらに、前記基地局４２０は前記ＳＮを有するパケットデータ、すなわち、ＲＬＣ−ＰＤＵを前記ＵＥ４１０へ送信するとともに、前記パケットデータをリオーダーリングバッファにバッファリングする。ステップ５１３で前記基地局４２０は前記ＳＮを有するパケットデータに対するＵＥ４１０の応答信号、すなわち、ＡＣＫ信号又はＮＡＣＫ信号の受信を待機して前記ＵＥ４１０から応答信号が受信されると、ステップ５１５へ進行する。ステップ５１５で前記基地局４２０は前記ＵＥ４１０から受信された前記ＳＮを有するパケットデータに対する応答信号がＮＡＣＫ信号であるかを検査する。その検査結果、前記受信された応答信号がＮＡＣＫ信号でない場合、すなわち、ＡＣＫ信号の場合、前記基地局４２０は前記ＳＮを有するパケットデータがＵＥ４１０で正常的に受信されたと判断し、ステップ５１７へ進行する。ステップ５１７で前記基地局４２０は前記Ｔ１タイマーをリセットした後、ステップ５１９へ進行する。
【００３６】
一方、ステップ５１５での検査結果、前記ＵＥ４１０から受信された応答信号がＮＡＣＫ信号である場合、前記基地局４２０はステップ５２１へ進行する。ステップ５２１で前記基地局４２０は前記ＳＮを有するパケットデータをＵＥ４１０が正常受信に失敗したため、再び前記ＳＮを有するパケットデータの再伝送を判断して前記リオーダーリングバッファにバッファリングされている前記ＳＮを有するパケットデータを前記ＵＥ４１０へ再伝送した後、ステップ５２３へ進行する。ステップ５２３で前記基地局４２０は前記基地局側のＴ１タイマーの駆動を開始した後、ステップ５２５へ進行する。ここで、前記基地局４２０は基地局制御器４３０から受信された最大待機時間値Ｔ１＿ｍａｘを適用して前記パケットデータ再伝送のための基地局側のＴ１タイマーの駆動を開始する。その後、前記基地局４２０はステップ５２５で再び前記ＳＮを有する再伝送されたパケットデータに対する応答信号を前記ＵＥ４１０から受信待機し、ステップ５２７へ進行する。ステップ５２７で前記基地局４２０は現在基地局側のＴ１タイマーの待機時間が前記最大待機時間値Ｔ１＿ｍａｘより小さいかを検査する。その検査結果、現在基地局側のＴ１タイマーの待機時間が前記最大待機時間値Ｔ１＿ｍａｘより小さくない場合、すなわち、現在基地局側のＴ１タイマーの待機時間が前記最大待機時間値Ｔ１＿ｍａｘより大きい場合、前記基地局４２０はステップ５１９へ進行する。
【００３７】
ステップ５１９で前記基地局４２０は前記基地局側のＴ１タイマーの待機時間が既に前記最大待機時間値Ｔ１＿ｍａｘに到達したため、前記リオーダーリングバッファにバッファリングされている前記ＳＮを有するパケットデータを廃棄させ、前記ＳＮ値を次のＳＮ値、すなわち、１が増加した値にアップデートした後、ステップ５２９へ進行する（ＳＮ＝ＳＮ＋１）。ステップ５２９で前記基地局４２０は前記１が増加したＳＮ値と同じＴＳＮを有するパケットデータを前記ＵＥ４１０へ送信してから終了する。ここで、前記基地局４２０は前記新たなパケットデータを伝送するため、新たなデータを示す情報を前記ヘッダーに含ませ、前記以前のＳＮ値を有するパケットデータがそれ以上伝送されないことを知らせる。一方、ステップ５２７での検査結果、前記基地局側のＴ１タイマーの待機時間が最大待機時間値Ｔ１＿ｍａｘより小さい場合、前記基地局４２０はステップ５３１へ進行する。ステップ５３１で前記基地局４２０は前記ＵＥ４１０が無応答状態であるかを検査する。その検査結果、前記ＵＥ４１０が無応答状態である場合、前記基地局４２０はステップ５３３へ進行して前記基地局側のＴ１タイマーが待機した時間値を１増加させた値に設定した後、ステップ５２５へ戻る。さらに、ステップ５３１での検査結果、前記ＵＥ４１０が無応答状態でない場合、前記基地局４２０はステップ５１５へ戻ってＵＥ４１０から前記再伝送されたパケットデータに対する応答信号を受信して該当動作を行う。
【００３８】
ここで、前記基地局側のＴ１タイマーが前記最大待機時間値Ｔ１＿ｍａｘを待機するまえに前記再伝送されたパケットデータに対してＡＣＫ信号が受信されるか、又は他のパケットデータに対してＮＡＣＫ信号が受信されると、前記基地局４２０は前記基地局側のＴ１タイマーの再駆動を開始する。
【００３９】
次に、第２の方法による基地局４２０のＨＡＲＱ動作を説明する。
前記基地局４２０はＮＡＣＫ信号の受信後に次のＡＣＫ信号を受信する場合、Ｔ１タイマーの駆動を開始する。前記基地局４２０は一つのリオーダーリングバッファで順次にＴＳＮを割当てて該当パケットデータをＵＥ４１０へ伝送し、ＴＳＮに対してＮＡＣＫ信号の受信後に次のＴＳＮを有するパケットデータに対して１番目のＡＣＫ信号が受信された場合、基地局側のＴ１タイマーの駆動を開始する。前記基地局側のＴ１タイマーが前記最大待機時間値Ｔ１＿ｍａｘに到達する前に前記ＡＣＫ信号を受信したパケットデータより小さいＴＳＮを有するパケットデータに対するＮＡＣＫ信号を受信したすべてのパケットデータに対する再伝送を行い、すべてのデータに対してＡＣＫ信号を受信する場合、前記基地局側のＴ１タイマーの駆動を終了する。前記基地局側のＴ１タイマーの駆動開始後に前記基地局側のＴ１タイマーの駆動終了前に前記ＡＣＫ信号を受信したデータより小さいＴＳＮを有するＮＡＣＫ信号を受信したすべてのパケットデータに対してＡＣＫ信号が受信される場合と、前記該当リオーダーリングバッファに他のパケットデータがＮＡＣＫ信号を受信してＡＣＫ信号を待機し、前記ＮＡＣＫ信号を受信したデータの以後にＡＣＫ信号を受信したデータが存在する場合、前記Ｔ１タイマーの駆動を再開する。
【００４０】
次に、本発明の第２実施例を図６を参照して説明する。本実施例では、二つの連続データパケットのうち、第１データパケットＰａｃｋｅｔ＃１に対してＮＡＣＫ信号が受信され、第２データパケットＰａｃｋｅｔ＃２に対してはＡＣＫ信号が受信されるという仮定下でＴ１タイマーの駆動及び中止方法を説明する。図６を参照すれば、前記第１データパケットＰａｃｋｅｔ＃１に対してＡＣＫ信号が受信されるかを検査する（ステップ６１０）。前記第１データパケットＰａｃｋｅｔ＃１に対してＮＡＣＫ信号が受信されると、ＡＣＫ信号が次のデータパケットＰａｃｋｅｔ＃２に対して受信されるかを検査する（ステップ６２０）。前記Ｐａｃｋｅｔ＃２に対してＮＡＣＫ信号が受信されると、Ｐａｃｋｅｔ＃２に後続くデータパケットに対してＡＣＫ信号が受信されるかを検査して該当Ｔ１タイマーを開始させる。しかし、前記Ｐａｃｋｅｔ＃２に対してＡＣＫ信号が受信されると、Ｔ１タイマーを駆動する（ステップ６３０）。その後、Ｐａｃｋｅｔ＃１に対してＮＡＣＫ信号が受信される場合は前記Ｐａｃｋｅｔ＃１が正常的に受信されないことを示す。この場合、前記Ｐａｃｋｅｔ＃１の再伝送を要求する（ステップ６４０）。その後、前記再伝送が要求されたパケットＰａｃｋｅｔ＃１に対してＡＣＫ信号が受信されるかを検査する（ステップ６５０）。前記再伝送が要求されたＰａｃｋｅｔ＃１に対してＡＣＫ信号が受信されると、Ｔ１タイマーを終了する（ステップ６６０）。しかし、ステップ６５０で前記再伝送が要求されたＰａｃｋｅｔ＃１に対してＮＡＣＫ信号が受信されると、ステップ６３０で駆動されたＴ１タイマーの値がＴ１＿ｍａｘ値を超過するかを検査する（ステップ６７０）。前記Ｔ１タイマーの値がＴ１＿ｍａｘ値を超過しなければ、Ｐａｃｋｅｔ＃１の再伝送を要求する（ステップ６４０）。しかし、前記Ｔ１タイマーの値がＴ１＿ｍａｘ値を超過すると、Ｔ１タイマーは終了される（ステップ６８０）。
【００４１】
例えば、基地局４２０がＴＳＮ＃１パケットに対してＮＡＣＫ信号を受信し、次のＴＳＮ＃２パケットに対してはＡＣＫ信号を受信すると、基地局４２０はＴＳＮ＃２パケットのＡＣＫ信号を受信した時点でＴ１タイマーを駆動する。基地局４２０はＴ１タイマーがＴ１＿ｍａｘに至るまでは前記ＴＳＮ＃１パケットに対する再伝送を行い、これに対するＡＣＫ信号を待機する。仮に、Ｔ１タイマーがＴ１＿ｍａｘの間に前記ＵＥ４１０から前記ＴＳＮ＃１パケットの正常受信に対するＡＣＫ信号を受信すると、Ｔ１タイマーはリセットされる。仮に、Ｔ１タイマーの駆動時に前記ＴＳＮ＃１パケットデータの再伝送に対する正常受信を示すＡＣＫ信号を受信しない状態でＴＳＮ＃３パケットに対してＮＡＣＫ信号を受信し、ＴＳＮ＃４パケットに対してはＡＣＫ信号を受信すると、Ｔ１タイマーはＴＳＮ＃１パケットデータの再伝送に対する受信のためにＴ１タイマーを動作させ、Ｔ１タイマーがＴ１＿ｍａｘ時間まで駆動する間に前記ＴＳＮ＃１パケットに対するＡＣＫ信号を受信すると、前記正常受信に失敗したＴＳＮ＃３パケットデータに対するＴ１タイマーを駆動する。これとは反対に、前記ＴＳＮ＃１パケットデータに対するＡＣＫ信号受信のために駆動したＴ１タイマーがＴ１＿ｍａｘまでも前記ＴＳＮ＃１パケットデータの正常受信を示すＡＣＫ信号を受信しなければ、基地局４２０は前記ＴＳＮ＃１パケットデータを廃棄させ、前記ＴＳＮ＃３パケットデータが正常的に受信されるまで再伝送を行うためのＴ１タイマーを駆動させる。これは前記ＵＥと再伝送動作において同期を合わせて動作するため、不必要なパケットの伝送を防止し、再伝送動作を効率的に行える。さらに、本発明の第１実施例でのように基地局がＮＡＣＫ信号を受信したとき、Ｔ１タイマーを動作させると、具現が容易であるという長所もある。その上、前記実施例の両方とも再伝送過程において不必要なパケットの伝送を防止することができる。図３に示したＨＡＲＱ制御器３４０又はスケジューラ３５０の制御に応じてＴ１タイマーを動作させることもできる。
【００４２】
さらに、上述した第１の方法で説明したように、前記基地局側のＴ１タイマーが最大待機時間値Ｔ１＿ｍａｘを待機完了するか、新たにリセットされる場合は新たなパケットデータを伝送することを示すため、基地局４２０は新たなデータを示す情報を前記ヘッダーに含ませ、前記以前のＳＮ値を有するパケットデータがそれ以上伝送されないことをＵＥ４１０に知らせる。
【００４３】
【発明の効果】
上述した本発明は、高速順方向パケット接続方式を使用する移動通信システムで基地局とＵＥの両方にパケットデータ再伝送のためのタイマー、すなわち、Ｔ１タイマーを同じ待機時間の間、待機させることにより、不必要なパケットデータの再伝送を取り除く。このように不必要なパケットデータの再伝送を取り除くことにより、伝送ロードを低減し、システムの性能を向上させる。
【００４４】
一方、本発明の詳細な説明では具体的な実施例について説明したが、本発明の範囲を逸脱しない限り、各種の変形が可能なのは明らかである。したがって、本発明の範囲は前記実施例に限るものでなく、特許請求の範囲のみならず、この特許請求の範囲と均等なものにより定められるべきである。
【図面の簡単な説明】
【図１】一般的な移動通信システムの構造を概略的に示した図である。
【図２】高速順方向パケット接続方式を使用する移動通信システムのパケットデータ再伝送を概略的に示した図である。
【図３】本発明の実施例における機能を行うための基地局側の高速媒体接続制御階層制御器の構造を示した図である。
【図４】本発明の実施例によるパケットデータ再伝送過程を概略的に示した信号流れ図である。
【図５】本発明の実施例による基地局のＨＡＲＱ動作過程を示した順序図である。
【図６】本発明の第２実施例による基地局のＨＡＲＱ動作過程を示した順序図である。
【符号の説明】
１００……コアネットワーク
１１１，１１２……無線ネットワーク制御器
１１３，１１４，１１５，１１６……基地局
１３０……使用者端末機
【図１】
2004007654.tif 000005
【図２】
2004007654.tif 000006
【図３】
2004007654.tif 000007
【図４】
2004007654.tif 000008
【図５】
2004007654.tif 000009
【図６】
2004007654.tif 000010
【外国語明細書】
2004007654.tif 000011
2004007654.tif 000012
2004007654.tif 000013
2004007654.tif 000014
2004007654.tif 000015
2004007654.tif 000016
2004007654.tif 000017
2004007654.tif 000018
2004007654.tif 000019
2004007654.tif 000020
2004007654.tif 000021
2004007654.tif 000022
2004007654.tif 000023
2004007654.tif 000024
2004007654.tif 000025
2004007654.tif 000026
2004007654.tif 000027
2004007654.tif 000028
2004007654.tif 000029
2004007654.tif 000030
2004007654.tif 000031
2004007654.tif 000032
2004007654.tif 000033
2004007654.tif 000034
2004007654.tif 000035
2004007654.tif 000036
2004007654.tif 000037
2004007654.tif 000038
2004007654.tif 000039
2004007654.tif 000040
2004007654.tif 000041
2004007654.tif 000042
2004007654.tif 000043
2004007654.tif 000044
2004007654.tif 000045
2004007654.tif 000046
2004007654.tif 000047
2004007654.tif 000048
2004007654.tif 000049